(57)【要約】【課題】録画済番組をダビングするときの手間を省き、しかも、所望とする録画済番組を確実にダビングすることができるようにする。【解決手段】図示しないリモコンの操作により、情報記録部６に保存されている放送予定の番組の番組表を基に、所望とする放送予定の番組の録画条件とダビング条件とを設定して録画予約し、情報記録部６に保持する。この録画条件をもとに、制御部４はチューナ部２を制御して録画予約された放送番組が受信され、ＨＤＤ７に録画される。ダビング部８にＤＶＤをセットし、リモコンでダビングのための操作をすると、情報記録部６に保存されているダビング条件に合致した録画済番組がダビング可能となり、その情報が図示しないモニタ画面に表示されて、番組の確認やダビング条件の確認、さらには、ダビング条件の中にＣＭスキップがあれば、その確認や修正をすることができ、その後ダビングが行なわれる。【選択図】図１
2005347825.tif 000002
【特許請求の範囲】
【請求項１】
受信した放送番組を録画するハードディスクと、該ハードディスクに録画された番組をリムーバブル記録メディアにダビングするためのダビング部とを備えたダビング機能付レコーダにおいて、
放送予定番組から選択された録画予定番組の該ハードディスクへの録画条件を設定し、該録画条件が設定された該録画予定番組の該ハードディスクからリムーバブル記録メディアへのダビング条件を設定するための第１の手段と、
該録画条件、もしくは該録画条件と該ダビング条件とが設定された該録画予定番組を、該録画条件をもとに、該ハードディスクに予約録画する第２の手段と、
該第２の手段によって該ハードディスクに録画された録画済番組に対し、該録画済番組に関する情報からなる録画済番組情報を作成して登録する第３の手段と、
該録画済番組情報をもとに、該第２の手段で予約録画された該録画済番組の一覧を表わす録画番組一覧画面を表示させる第４の手段と、
該録画済番組情報をもとに、該第２の手段で予約録画された該録画済番組のうちの該ダビング条件でリムーバブル記録メディアへのダビングが可能な該録画済番組の一覧を表わすダビング設定画面を表示させる第５の手段と
を備えたことを特徴とするダビング機能付レコーダ。
【請求項２】
請求項１において、
前記録画条件では、同じ番組タイトルかつ同じチャンネルで所定期間毎に同じ時間帯で放送される一連の番組からなる番組パックに対しては、該番組毎に放送順に連続番号を選択可能な形式で設定可能とし、
該連続番号が設定された同じ番組パックに属する各番組の前記録画済番組情報には、同じ予約ＩＤ（識別符号）が付されることを特徴とするダビング機能付レコーダ。
【請求項３】
請求項２において、
前記第４の手段によって表示される前記録画番組一覧画面では、同じ予約ＩＤが設定された同じ番組パックの録画済番組の画面が重ねて表示されることを特徴とするダビング機能付レコーダ。
【請求項４】
請求項１，２または３において、
前記第４の手段によって表示される前記録画番組一覧画面では、前記ダビング条件でリムーバブル記録メディアへのダビングが可能な前記録画済番組に対し、ダビング準備完了マークが付されることを特徴とするダビング機能付レコーダ。
【請求項５】
請求項１において、
前記ハードディスクに前記ダビング条件でリムーバブル記録メディアへのダビングが可能な録画済番組が存在するときに、リムーバブル記録メディアがセットされると、前記第５の手段によって前記ダビング設定画面を表示させることを選択可能とするセット通知画面を表示させることを特徴とするダビング機能付レコーダ。
【請求項６】
請求項１において、
操作部の所定操作により、前記第５の手段によって前記ダビング設定画面を表示させることを選択可能とする機能メニュー画面を表示させることを特徴とするダビング機能付レコーダ。
【請求項７】
請求項４において、
前記録画済番組一覧画面で表示される前記ダビング準備完了マーク付きの前記録画済番組を選択することにより、前記第５の手段によって前記ダビング設定画面を表示させることを特徴とするダビング機能付レコーダ。
【請求項８】
請求項１〜７のいずれか１つにおいて、
前記ダビング条件には、前記ハードディスクに録画された録画済番組をリムーバブル記録メディアにダビングする際、該録画済番組でのＣＭ期間のスキップをすることを指示することができ、
前記ダビング設定画面から選択された録画済番組が前記ダビング条件でＣＭ期間のスキップが指示されているときには、ＣＭ期間のスキップを確認し、修正を可能とするＣＭスキッププレビュー画面を表示可能とすることを特徴とするダビング機能付レコーダ。
【請求項９】
請求項８において、
前記ＣＭスキッププレビュー画面では、
前記ダビング設定画面から選択された録画済番組の再生画面を表示する再生表示エリアと、
ＣＭスキップ領域を含む再生バーと、
前記ダビング設定画面から選択された録画済番組の再生経過に伴って、該再生バーに沿って移動する再生マークと
が表示され、該再生マークで該再生位置を指示してＣＭスキップ領域の変更操作により、該再生バー上のＣＭスキップ領域の開始位置，終了位置の変更を可能とすることを特徴とするダビング機能付レコーダ。
【請求項１０】
請求項１〜９のいずれか１つにおいて、
前記ダビング条件に基づいて前記録画済番組がダビングされたリムーバブル記録メディア毎に、ユニークなメディアＩＤを割り当てるとともに、ダビングされた前記録画済番組に関するコンテンツメニューを作成して、該コンテンツメニューにユニークな管理ＩＤを割り当て、該コンテンツメニューと、該メディアＩＤと該管理ＩＤとを関連付ける情報を登録する手段を設けたことを特徴とするダビング機能付レコーダ。
【請求項１１】
請求項１０において、
リムーバブル記録メディアへのダビング終了とともに、該リムーバブル記録メディアにダビングされた録画番組に関する前記コンテンツメニューに割り当てられた前記管理ＩＤを画面に表示させる手段を設けたことを特徴とするダビング機能付レコーダ。
【請求項１２】
請求項において、
管理ＩＤが指定されることにより、該管理ＩＤが割り当てられたコンテンツメニューがダビングされたリムーバブル記録メディアを検索し、検索結果を画面表示する手段を設けたことを特徴とするダビング機能付レコーダ。
【発明の詳細な説明】
【技術分野】
【０００１】
本発明は、ハードディスクドイラブ（以下、ＨＤＤという）を備え、ハードディスクに録画した放送番組をＤＶＤなどのリムーバブル（着脱可能な）記録メディアにダビング可能とするダビング機能付レコーダに関する。
【背景技術】
【０００２】
従来、ハードディスクに録画した放送番組をリムーバブル記録メディアにダビングすることができるようにした技術が提案されている（例えば、特許文献１参照）。
【０００３】
これは、ハードディスクに録画された放送番組のうちの所望とする番組を光ディスクにダビングするものであって、まず、ハードディスクからこれに録画されている各番組のタイトル名と記録モードとを取得し、これとメモリに保存されている光ディスクに関するディスク管理情報とに基づいて、ダビング指定画面を表示させ、このダビング指定画面を基に、ダビングしたい番組，ダビング先の光ディスク，この光ディスクへの記録モードを指定するものである。かかる情報はハードディスクに録画されている番組毎に設けられており、指定された番組は、指定された光ディスクに指定された記録モードでダビングされることになる。
【０００４】
記録モードは光ディスクへの記録データレートを決めるものであり、これがハードディスクでの録画時の記録モードと異なる場合には、伸張部や圧縮部を用いて光ディスクの記録データレートを指定した記録モードのデータレートに合わせる。
【０００５】
指定された録画番組が、指定された記録モードでは、１枚の光ディスクにダビングできない場合には、さらに光ディスクを追加してダビングを続行する。このために、複数の光ディスクが用意されている。
【０００６】
また、ユーザが再生を希望するコンテンツが記録された光ディスクを探し出すための技術も提案されている（例えば、特許文献２参照）。
【０００７】
これは、ハードディスクに記録再生装置で使用可能な光ディスクに記録されているコンテンツやかかる光ディスクの種別情報，ＩＤからなる目次情報が記録されており、ユーザが希望すると、この目次情報のコンテンツの一覧が表示され、希望するコンテンツを選択できる。所望のコンテンツが選択されると、このコンテンツ話記録した光ディスクの種別情報やＩＤが目次情報から読み取られ（要求種別情報，ＩＤ）、バーコード読み取り素子で光ディスクのバーコードから読み取ったこの光ディスクの種別情報やＩＤ（検出種別情報，ＩＤ）と比較し、バーコード読み取り素子で読み取る光ディスクを順次交換することにより、これら種別情報，ＩＤが一致する光ディスクを探し出す。検出種別情報，ＩＤが要求種別情報，ＩＤと一致する光ディスクが見つかると、この光ディスクを記録再生装置に装着するように指示があり、装着すると、記録再生装置は装着した光ディスクの種別情報，ＩＤを要求種別情報，ＩＤと比較して、ユーザが要求したコンテンツを記録した光ディスクが装着されたか否かを確認する。この確認が済むと、記録再生装置はこの光ディスクの再生を開始する。
【特許文献１】特開２００４ー１２７４７０
【特許文献２】特開２００２ー１０１８３
【発明の開示】
【発明が解決しようとする課題】
【０００８】
しかしながら、上記特許文献１に記載の発明では、ハードディスクに予約録画する場合にそのための操作をしなければならない。また、このハードディスクに録画済の番組を光ディスクにダビングする場合、ダビングするときになってダビングする番組の選択やダビング条件の設定のための作業が必要となる。通常、録画の予約をするときにダビングが必要な番組でもあるかどうかの判断は可能であるが、上記特許文献１に記載の発明では、予約録画した後でなければ、ダビングをするための作業を行なうことができず、ダビング指定画面でダビングしたい番組を探すといった作業も必要となる。また、バーコード読み取り素子で光ディスクのバーコードを読み取ることによって、この光ディスクがユーザによって選択されたコンテンツを記録している光ディスクであるか否かの判断処理を行なっているものであるから、実際に光ディスクが手元になければならないし、かかるコンテンツが記録される光ディスクが見つかるまでバーコード読み取り素子で読み取られる光ディスクを交換していかなければならず、時間と手間がかかることになる。
【０００９】
本発明の第１の目的は、かかる問題を解消し、録画済番組をダビングするときの手間を省き、しかも、所望とする録画済番組を確実にダビングすることができるようにしたダビング機能付レコーダを提供することにある。
【００１０】
上記特許文献２に記載の発明は、所望のコンテンツが記録された光ディスクを、それを再生してみることなく、探し出すことができるが、このためには、光ディスクに記録されているコンテンツの一覧やかかる光ディスクの種別情報，ＩＤからなる目次情報を作成することが必要となり、その分手間がかかることになる。
【００１１】
本発明の第２の目的は、かかる問題を解消し、番組がダビングされたリムーバブル記録メディアの中から、ユーザにダビングされた番組の一覧の作成のための手間を省いて、所望とする番組がダビングされたリムーバブル記録メディアを容易に探し出すことができるようにしたダビング機能付レコーダを提供することにある。
【課題を解決するための手段】
【００１２】
上記目的を達成するために、本発明は、受信した放送番組を録画するハードディスクと、ハードディスクに録画された番組をリムーバブル記録メディアにダビングするためのダビング部とを備えたダビング機能付レコーダであって、放送予定番組から選択された録画予定番組のハードディスクへの録画条件を設定し、録画条件が設定された録画予定番組のハードディスクからリムーバブル記録メディアへのダビング条件を設定するための第１の手段と、録画条件、もしくは録画条件とダビング条件とが設定された録画予定番組を、録画条件をもとに、ハードディスクに予約録画する第２の手段と、第２の手段によってハードディスクに録画された録画済番組に対し、録画済番組に関する情報からなる録画済番組情報を作成して登録する第３の手段と、録画済番組情報をもとに、第２の手段で予約録画された録画済番組の一覧を表わす録画番組一覧画面を表示させる第４の手段と、録画済番組情報をもとに、第２の手段で予約録画された録画済番組のうちのダビング条件でリムーバブル記録メディアへのダビングが可能な録画済番組の一覧を表わすダビング設定画面を表示させる第５の手段とを備えたものである。
【００１３】
また、録画条件では、同じ番組タイトルかつ同じチャンネルで所定期間毎に同じ時間帯で放送される一連の番組からなる番組パックに対しては、番組毎に放送順に連続番号を選択可能な形式で設定可能とし、連続番号が設定された同じ番組パックに属する各番組の録画済番組情報には、同じ予約ＩＤ（識別符号）が付されるものである。
【００１４】
また、第４の手段によって表示される録画番組一覧画面では、同じ予約ＩＤが設定された同じ番組パックの録画済番組の画面が重ねて表示されるものである。
【００１５】
また、第４の手段によって表示される録画番組一覧画面では、ダビング条件でリムーバブル記録メディアへのダビングが可能な録画済番組に対し、ダビング準備完了マークが付されるものである。
【００１６】
また、ハードディスクにダビング条件でリムーバブル記録メディアへのダビングが可能な録画済番組が存在するときに、リムーバブル記録メディアがセットされると、第５の手段によってダビング設定画面を表示させることを選択可能とするセット通知画面を表示させるものである。
【００１７】
また、操作部の所定操作により、第５の手段によってダビング設定画面を表示させることを選択可能とする機能メニュー画面を表示させるものである。
【００１８】
また、録画済番組一覧画面で表示されるダビング準備完了マーク付きの録画済番組を選択することにより、第５の手段によってダビング設定画面を表示させるものである。
【００１９】
また、ダビング条件には、ハードディスクに録画された録画済番組をリムーバブル記録メディアにダビングする際、録画済番組でのＣＭ期間のスキップをすることを指示することができ、ダビング設定画面から選択された録画済番組がダビング条件でＣＭ期間のスキップが指示されているときには、ＣＭ期間のスキップを確認し、修正を可能とするＣＭスキッププレビュー画面を表示可能とするものである。
【００２０】
また、ＣＭスキッププレビュー画面では、ダビング設定画面から選択された録画済番組の再生画面を表示する再生表示エリアと、ＣＭスキップ領域を含む再生バーと、ダビング設定画面から選択された録画済番組の再生経過に伴って、再生バーに沿って移動する再生マークとが表示され、再生マークで再生位置を指示してＣＭスキップ領域の変更操作により、再生バー上のＣＭスキップ領域の開始位置，終了位置の変更を可能とするものである。
【００２１】
また、ダビング条件に基づいて録画済番組がダビングされたリムーバブル記録メディア毎に、ユニークなメディアＩＤを割り当てるとともに、ダビングされた録画済番組に関するコンテンツメニューを作成して、このコンテンツメニューにユニークな管理ＩＤを割り当て、コンテンツメニューと、メディアＩＤと管理ＩＤとを関連付ける情報を登録する手段を設けたものである。
【００２２】
また、リムーバブル記録メディアへのダビング終了とともに、このリムーバブル記録メディアにダビングされた録画番組に関するコンテンツメニューに割り当てられた管理ＩＤを画面に表示させる手段を設けたものである。
【００２３】
また、管理ＩＤが指定されることにより、管理ＩＤが割り当てられたコンテンツメニューがダビングされたリムーバブル記録メディアを検索し、検索結果を画面表示する手段を設けたものである。
【発明の効果】
【００２４】
本発明によると、番組の録画予約をするときに、その番組のダビング条件も設定でき、しかも、ダビングする番組の確認もできるものであるから、ダビングに際しての作業が大幅に削減され、しかも、所望とする記録済番組のダビングを確実に行なわせることが可能となる。
【００２５】
また、本発明によると、ダビングの終了とともに、ダビングされたリムーバブル記録媒体でのダビング番組に関するコンテンツメニューが作成され、この管理ＩＤとともに登録されるものであるから、ユーザにとっては、かかるメニューの作成のための作業が不要となり、しかも、リムーバブル記録メディアの再生を行なうことなく、管理ＩＤを指定するという簡単な操作でもって、所望の番組がダビングされたリムーバブル記録メディアを確実に探し出すことができる。
【発明を実施するための最良の形態】
【００２６】
以下、本発明の実施形態を図面により説明する。
【００２７】
図１は本発明によるダビング機能付レコーダの一具体例を示すブロック構成図であって、１はこの実施形態のダビング機能付レコーダ、２はチューナ部、３は画像データ作成部（デコーダ）、４は制御部、５は制御信号受信部、６は情報記録部、７はＨＤＤ（ハード・ディスク・ドライブ）、８はダビング部、９は表示データ作成部、１０は画像処理部、１１は表示データ合成部、１２は信号出力部である。
【００２８】
同図において、制御信号受信部５は、図示しないリモートコントローラ（以下、リモコンという）やこの実施形態のダビング機能付レコーダ１での図示しない操作部などの制御操作に応じた制御信号を受信し、制御部４に供給する。制御部４はＣＰＵ（中央処理部）などから構成され、制御信号受信部５で受信された制御信号に応じてこの実施形態の各部の制御を行なう。以下の説明では、制御信号受信部５がリモコンからの制御信号を受信するものとする。
【００２９】
チューナ部２は、リモコンの制御操作に基づいて、放送番組や番組表などの番組情報を受信する。受信されたかかる放送番組やその詳細情報，番組表情報は画像データ作成部３でデコードされ、放送番組はＨＤＤ７に、番組情報は情報記録部６に夫々記録される。ダビング部８は、ＨＤＤ７に記録された放送番組をＤＶＤ（デジタル多用途ディスク）などのリムーバブル記録メディアにダビングするためのものであり、以下では、かかるダビング用の記録メディアをＤＶＤとする。なお、情報記録部６は、ＨＤＤ７の一部であってもよい。
【００３０】
リモコンの制御操作により、ユーザが所望とする放送番組をＨＤＤ７に録画予約することもできるし、ＨＤＤ７に録画された放送番組をダビング部８でＤＶＤにダビング予約することもできる。かかる録画予約やダビング予約の予約情報やかかる予約するために用いるための予約画面情報なども情報記録部６に記録される。所望の放送番組の録画予約情報が情報記録部６に記録されていると、制御部４は、この録画予約情報をもとに、この所望の放送番組の放送予定日時にチューナ部２を制御し、この所望の放送番組を受信させる。受信された放送番組は、上記のように、画像データ作成部３でデコードされた後、ＨＤＤ７に録画される。
【００３１】
また、ＨＤＤ７に記録された所望の番組のダビング予約情報が情報記録部６に記録されているときも、制御部４は、このダビング予約情報をもとに、この所望の放送番組をＨＤＤ７から読み出し、ダビング部８でＤＶＤにダビングして保存するのであるが、ダビング予約情報によるダビング条件に応じて、ＨＤＤ７から読み出された放送番組が画像処理部１０でデータ量を低減されてからダビング部８でＤＶＤにダビングされる。このようにデータ量低減処理をすることにより、画質の低下は免れないが、ＤＶＤにより多くの放送番組をダビングすることができるし、また、連続ドラマなどの所定期間毎に同じ時間帯で放送する番組（以下では、連続放送番組という）も複数回分が１つのＤＶＤにダビングすることが可能となる。なお、録画予約の際に、ＤＶＤへのダビングを予め決める際には、受信した放送番組を画像処理部１０でデータ量低減処理し、しかる後、ＨＤＤ５に記録するように、リモコン１３で予約録画する場合の録画条件を設定することもできる。
【００３２】
録画予約やダビング予約を行なう場合には、情報記録部６に記録されているかかる予約のための放送番組表や予約操作のための画面情報が読み出され、表示データ作成部９で画面表示が可能な表示データに変換された後、表示データ合成部１１及び信号出力部１２を介して図示しないモニタ部（例えば、テレビジョン受像機）に供給される。ここで、表示データ合成部１１は、モニタ部の表示画面（以下、モニタ画面という）で１つの表示データで画面表示が行なわれているとき、他の表示データによる画面表示をする場合、既に表示されている画面に重ねて新たな画面が表示されるようにするものである。
【００３３】
図２は図１に示すダビング機能付レコーダ１の制御操作手段としてのリモコンの一具体例を示す正面図であって、１３はこの具体例のリモコン、１４は電源ボタン、１５はメニューボタン、１６は十字キー、１７は決定ボタン、１８は機能メニューボタン、１９は戻るボタン、２０は録画番組ボタン、２１は番組表ボタン、２２はチャプタ打込兼用のカラー（青）ボタン、２３はチャプタ削除兼用のカラー（赤）ボタン、２４はカラー（緑）ボタン、２５はスキップ設定兼用のカラー（黄）ボタン、２６は一時停止ボタン、２６ａは停止ボタン、２７は再生ボタン、２８は早送りボタン、２９は巻戻しボタンである。
【００３４】
同図において、このリモコン１３では、電源ボタン１４がオン操作されると、メニューボタン１５，機能メニューボタン１８，録画番組ボタン２０及び番組表ボタン２１が操作可能状態となる。
【００３５】
メニューボタン１５は、ダビング機能付レコーダ１でのＨＤＤ７（図１）への放送番組の録画やＨＤＤ７からの録画番組の再生などの各種動作メニューを選択するためのものである。
【００３６】
機能メニューボタン１８が操作されると、図１に示すダビング機能付レコーダ１において、制御部４の制御により、情報記録部６から機能メニュー画面情報が読み出されて表示データ作成部９で処理された機能メニュー画面の表示データが作成され、表示データ合成部１１，信号出力部１２を介して図示しないモニタ部に供給される。そのモニタ画面では、後述の機能メニュー画面が表示され、この機能メニュー画面において、図２に示すリモコン１３の十字キー１６と決定キー１７とを操作することにより、所望の機能メニューが選択・決定されてその機能メニューを実行することができる。以下では、このような十字キー１６と決定キー１７との操作による選択・決定を、リモコン１３の選択・決定操作という。
【００３７】
リモコン１３の録画番組ボタン２０は、ダビング機能付レコーダ１のＨＤＤ７（図１）に録画されている放送番組の後述する一覧画面を表示するものである。かかる録画番組の一覧情報は情報記録部６に記録されているものであって、上記のメニュー画面情報と同様、情報記録部６から読み出されて表示データ作成部９で表示データに形成され、モニタ画面でこの一覧画面が表示される。また、番組表ボタン２１は、ダビング機能付レコーダ１のチューナ部２で受信して情報記録部６に記録されている放送番組情報を読み出すためのものであり、読み出された番組表情報は、上記のメニュー画面情報や録画番組の一覧情報と同様に処理されてモニタ部に供給され、モニタ画面に放送番組表が表示される。
【００３８】
一時停止ボタン２６，停止ボタン２６ａ、再生ボタン２７，早送りボタン２８，巻戻しボタン２９は、ダビング機能付レコーダ１のＨＤＤ７（図１）で録画された放送番組の再生や巻戻し早送りのための操作キーであって、モニタ画面に表示される、例えば、後述の図１７で示すＣＭスキッププレビュー画面１００で、かかる再生ボタン２７，早送りボタン２８，巻戻しボタン２９により、この所望の録画済番組の通常再生，巻戻し再生，早送り再生を行なわせることができるものである。
【００３９】
後述するように、ダビング機能付レコーダ１のＨＤＤ７（図１）での所望録画済番組をダビング部８（図１）でＤＶＤにダビングする場合、ＣＭ（番組中に放映されるコマーシャル）をスキップするように、ダビング条件を設定することができるが、デジタル放送に用いられるカラーボタン２２〜２５のうち、カラーボタン２２，２３，２５がＣＭスキップの範囲を修正するのに用いるものである。
【００４０】
即ち、このＣＭスキップ範囲は、後述のように、チャプタによって規定され、隣り合う２つのチャプタ間がＣＭスキップの範囲とするものであるが、カラー（青）ボタン２２をチャプタ打込兼用とし、カラー（赤）ボタン２３をチャプタ削除兼用とし、カラー（黄）ボタン２５をＣＭスキップ設定兼用とするものである。上記のように、予め設定されるダビング条件にＣＭスキップが設定されていると、このダビング条件が適用される録画番組にチャプタが設定され、これにより、自動的にＣＭスキップ範囲が設定されるが、チャプタを設定するチャプタ打込兼用のカラー（青）ボタン２２とチャプタを削除するチャプタ削除兼用のカラー（赤）ボタン２３とによってチャプタの設定位置を変更することができ、スキップ設定兼用のカラー（黄）ボタン２５によって変更されたＣＭスキップ範囲が設定されることになる。ここで、チャプタ打込兼用のカラー（青）ボタン２２は青色に着色されたカラーボタンであり、チャプタ削除兼用のカラー（赤）ボタン２３は赤色に着色されたカラーボタンであり、スキップ設定兼用のカラー（黄）ボタン２５は黄色に着色されたカラーボタンである。
【００４１】
なお、この実施形態では、リモコン１３の操作によって所望チャンネルの放送番組を受信し、これをモニタ画面に表示させることもできるものであるが、図２では、このような動作をさせるための操作ボタンは省略しており、番組予約や録画予約，ダビング予約に関する操作ボタンのみを示している。
【００４２】
次に、この実施形態の動作を上記モニタ画面に表示される画面をもとに説明する。なお、以下に説明する動作は、リモコン１３の操作を基に、制御部４の制御動作によって行なわれるものである。
【００４３】
図１及び図２において、いま、図３に示すように、モニタ画面で受信中の放送番組の画面３０が表示されている状態で、リモコン１３の番組表ボタン２１が操作されると、上記のように、情報記録部６から番組表情報が読み出されて、図４に示すように、モニタ画面に番組表画面４０が表示される。この番組表画面４０では、例えば、「４月２８日（金）」といったような放送日４２と、放送チャンネル４３と、これらに該当する放送番組表４１とが表示される。
【００４４】
この放送番組表４１では、同じ放送チャンネル（ＢＳ２２２）の所定の放送日（４月２８日（金））での放送予定番組が放送順に配列して示され、夫々の放送予定番組毎に放送時間と番組タイトルが示されるようにしている。この放送番組表４１での１つの放送予定番組（ここでは、初期条件として、最初の放送予定番組）に枠状のカーソル４４が付されて、この放送予定番組が選択された状態にある。かかるカーソル４４は、リモコン１３の十字キー１６の「↑」，「↓」キーを操作することにより、番組表４１上を上下方向に移動させることができ、これにより、番組表４１で表示される任意の放送予定番組を選択することができる。このカーソル４４を放送番組表４１の最上位もしくは最下位の放送予定番組の位置に設定してリモコン１３の十字キー１６の「↑」，「↓」キーを操作することにより、この放送番組表４１を放送予定番組単位で上下にスクロールさせることができる。また、リモコン１３の十字キー１６の「→」，「←」キーを操作することにより、まずは放送日４２が変更され、新たに放送日を設定して決定キー１７の「→」，「←」キーを操作することにより、放送チャンネル４３を変更させることができる。この場合も、新たな放送チャンネルが設定されると、決定キー１７を操作することにより、放送日４２の変更が可能となる。
【００４５】
この番組表画面４０における所望とする放送予定番組をリモコン１３で選択・決定操作すると、図５に示すように、番組表画面４０上に重ねて、選択された放送予定番組の番組説明画面４５が表示される。この番組説明画面４５では、この放送予定番組の放送予定日時や番組タイトルなどの番組関連情報４６，出演者やあらすじなどの番組内容情報４７などが表示され、選択した放送予定番組の概略的な内容を知ることができる。かかる番組内容情報４７は、番組表情報と関連付けられて、情報記録部６に記録されている。
【００４６】
また、この番組説明画面４５には、「予約設定」ボタン４８と「閉じる」ボタン４９とが設けられており、通常、この「予約設定」ボタン４８に枠状のカーソル５０が付されて選択されている。リモコン１３で選択・決定操作することにより、枠状のカーソル５０を「予約設定」ボタン４８と「閉じる」ボタン４９と間で移動させて、これらのいずれかを選択して操作することができる。
【００４７】
そこで、いま、カーソル５０で「閉じる」ボタン４９を選択すると、この番組説明画面４５が閉じ、図４に示す番組表画面４０の表示状態に戻る。これにより、他の放送予定番組を選択することができる。これに対し、カーソル５０で「予約設定」ボタン４８を選択すると、番組表画面４０で選択して番組説明画面４５で概略説明がなされる放送予定番組の録画予約設定動作に進む。この録画予約設定動作では、まず、録画条件の設定のための図６に示す録画予約設定画面５１が番組表画面４０に重ねて表示される。
【００４８】
なお、番組表画面４０で所定の放送番組を選択すると、直接録画予約設定画面５１に移行するようにすることもできる。
【００４９】
この録画予約設定画面５１には、項目「番組タイトル」５１ａ，項目「チャンネル」５１ｂ，項目「放送日時」５１ｃ，項目「録画モード」５１ｄ，項目「タイトルに続き番号追加」５１ｅ，項目「次回の番号」５１ｆ，項目「番号形式」５１ｇが設けられており、これらが放送番組の録画条件をなすものである。
【００５０】
項目「番組タイトル」５１ａには、番組表画面４０の番組表４１で選択された放送予定番組のタイトル（ここでは、「ドラマ  京都物語」）が表示され、項目「チャンネル」５１ｂには、この放送予定番組の放送チャンネル（ここでは、「ＢＳ２２２」）が表示され、項目「放送日時」５１ｃには、この放送予定番組の放送日時（ここでは、この放送予定番組が毎週金曜日の午後１０時〜１１時に放映される連続ドラマとして、「毎週（金）ＰＭ１０：００−１１：００」）が表示される。これらの項目５１ａ〜５１ｃは選択した放送予定番組によって決まるから、録画予約設定画面５１の表示とともに、その内容が決まっているものであるが、特に、連続ドラマのような所定期間毎に放映される連続番組の場合には、上記の「毎週（金）ＰＭ１０：００−１１：００」というように、連続番組全体の録画条件の設定を、番組夫々毎に行なうことなく、１回でまとめて行なうことができる。
【００５１】
また、項目「録画モード」５１ｄは、選択した放送予定番組をＨＤＤ７に録画する場合の画質を指定できるようにするものであって、デフォルトでは、「高画質」モード（受信したときの画質）が設定されている。しかし、後述するように、録画された番組をダビング部８でダビングするときには、１枚のＤＶＤにダビングする番組の数に応じて画質が制限されるが、ダビング時と同様の画質で録画することが指定されると、この項目「録画モード」５１ｄで指定された画質が変更される。
【００５２】
項目「タイトルに続き番号追加」５１ｅは、連続番組や関連する内容の放送番組などで録画する毎に番号を付するか否かを指定できるようにするものであり、「する」と「しない」とを選択することができる。デフォルトでは、「する」が指定された状態にある。項目「次回の番号」５１ｆは、項目「タイトルに続き番号追加」５１ｅで「する」を指定した場合に、次に録画する放送番組に付する番号を指定できるものである。「１」が指定された状態にある場合、新たに連続ドラマを毎週録画していく場合には、最初に録画するドラマに「１」が付され、次から順次録画されるドラマには、付される番号が「２」，「３」，……となっていく。項目「番号形式」５１ｇは、項目「次回の番号」５１ｆで付される番号の形式を指定できるようにしたものであり、その形式としては、話（例えば、第１話など），回（例えば、第１回など），＃（例えば、＃１）などがある。
【００５３】
このように、同一チャンネルかつ同一番組タイトルで所定期間毎に同じ時間帯で放送される一連の番組は、項目「番組タイトル」５１ａ，項目「チャンネル」５１ｂ，項目「日時」５１ｃでその旨を設定することにより、１つのパック（番組パック）として取り扱うことができる。かかる番組パックの場合、その最初の番組で録画条件を設定することにより、この番組パックに属する他の全ての番組についても録画条件が設定されたことになる。このように番組パックに対しては、この録画予約設定画面４０で設定される録画条件は、次に録画される番組の録画条件をなすものであって、この番組パックの最初に録画される番組に対しては、項目「次回の番号」５１ｆが「１」であったとしても、この最初の番組が録画されると、録画予約設定画面４０で設定された録画条件は次に録画される番組に対するものとなり、この録画条件の項目「次回の番号」５１ｆは自動的に「２」に変更される。このようにして、同じ番組パックの番組が録画される毎に、録画条件は自動的に次に録画される番組に対するものとなり、項目「次回の番号」５１ｆが変化していく。
【００５４】
項目「タイトルに続き番号追加」５１ｅ，項目「次回の番号」５１ｆ及び項目「番号形式」５１ｇには、リモコン１３の十字キー１６を操作することにより、枠状のカーソル５５を合わせることができる。このように、カーソル５５を合わせた状態で決定キー１７を操作することにより、これら項目の指定内容を変更することができる。例えば、このカーソル５５を項目「タイトルに続き番号追加」５１ｅに合わせて選択し、決定キー１７を操作して決定すると、その操作毎に「する」，「しない」と指定内容が変更される。
【００５５】
録画予約設定画面５１には、また、「予約設定」ボタン５２，「ダビング保存予約設定」ボタン５３，「閉じる」ボタン５４が設けられている。「予約設定」ボタン５２は項目５１ａ〜５１ｇによる録画予約条件を設定するためのものであり、この「予約設定」ボタン５２にカーソル５５を合わせるようにしてリモコン１３で選択・決定操作すると、この録画予約条件が設定され、録画予約設定画面５１に重ねて、図７に示す録画予約設定通知画面５６が表示される。この録画予約設定通知画面５６には、「了解」ボタン５６ａが表示されており、これをリモコン１３の決定キー１７で決定操作すると、図４に示す番組表画面４０に戻り、次の放送予定番組の録画予約をすることができる。
【００５６】
図６に示す録画予約設定画面５１で、録画条件の設定後、「ダビング保存予約設定」ボタン５３にカーソル５５を合わせるようにしてリモコン１３で選択・決定操作すると、図８に示すダビング条件テンプレート一覧画面５７に表示が移る。
【００５７】
このダビング条件テンプレート一覧画面５７では、登録されているダビング条件テンプレートのリスト５８が示されており、ここでは、５つのテンプレートが登録されているようすを示している。
【００５８】
このようなテンプレートのダビング条件をもとに、次に説明するように、録画された番組をダビングする際のダビング条件を決めることができる。例えば、ドラマを例に取ると、このテンプレートのダビング条件の場合よりも高い画質を希望するのであれば、１枚のＤＶＤにダビングする番組数をテンプレートのダビング条件の場合よりも減らせばよく、画質をこれよりも低下させてもよいのであれば、１枚のＤＶＤにダビングする番組数をテンプレートのダビング条件の場合よりも増やすこともできる。また、１時間もののドラマや２時間もののドラマの場合には、このテンプレートのダビング条件をもとに、１枚のＤＶＤにダビングする番組数を決めることができる。
【００５９】
図６に示す録画予約設定画面５１で録画条件を設定した録画予定番組のジャンルがドラマであるから、図８に示すリスト５８において、リモコン１３で選択・決定操作することにより、枠状のカーソル５９でドラマ用という名称で登録されているテンプレートのダビング条件を選択すると、図９に示すダビング保存予約設定画面６０がダビング条件テンプレート一覧画面５７に代わって表示される。
【００６０】
このダビング予約設定画面６０は、ＨＤＤ７での録画番組をダビング部８でＤＶＤにダビングする場合の条件、即ち、ダビング条件を設定するためのものであり、このダビング条件を決める項目、即ち、「ダビング先」６１ａ，「ＣＭスキップ」６１ｂ，「視聴後のみ保存」６１ｃ，「１枚にダビングする数」６１ｄ，「保存の画質で録画」６１ｅ，「ＤＶＤメニュー作成」６１ｆ，「テンプレートとして登録」６１ｇ，「視聴後ダビング用に画質を変更」６１ｈが設けられている。
【００６１】
項目「ダビング先」６１ａは、ＨＤＤ７に録画された放送番組（以下、録画済み番組という）をダビングするリムーバブル記録メディアを指定するためのものであり、図８に示すダビング条件テンプレート一覧画面５７の場合と合わせ、デフォルトとして、ＤＶＤが決められている。リモコン１３の十字キー１６の操作によって枠状のカーソル６５をこの項目「ダビング先」６１ａに一致させ、かかる状態で決定キー１７を操作すると（リモコン１３で選択・決定すると）、その操作毎に表示される記録メディアの種類が変わり、これにより、所望の記録メディアを選択することができる。ここでは、上記のように、ＤＶＤが選択されているものとする。従って、図６に示す録画予約設定画面５１で録画条件が設定された録画予約番組（この場合、チャンネルＢＳ２２２の「ドラマ  京都物語」）は、録画されると、ＤＶＤにダビングされるされるように条件付けられている。
【００６２】
項目「ＣＭスキップ」６１ｂは、録画済み番組をダビングするときに、ＣＭをスキップするか否かを指定することができるようにするものであり、リモコン１３の上記の選択・決定操作により、「する」，「しない」のいずれかを選択することができる。
【００６３】
項目「視聴後のみ保存」６１ｃは、録画済み番組を１回視聴した後にダビングするか否かを指定できるようにするものであり、リモコン１３の上記の選択・決定操作により、「ＯＮ」，「ＯＦＦ」のいずれかを選択することができる。「ＯＮ」を選択した場合には、録画済み番組は、１度視聴されないと、ダビングされないことになる。図示では、「ＯＦＦ」が選択されているので、上記の録画予約番組は、録画後、ダビング部８にＤＶＤが装着されたときにこのＤＶＤへのダビングが可能となる。
【００６４】
項目「１枚にダビングする数」６１ｄは、番組パックに対するものであり、項目「ダビング先」６１ａで指定されたＤＶＤ１枚当たりにダビングする録画済み番組の数を指定することができるものであって、図８に示すリスト５８での選択されたテンプレートのダビング条件に応じた番組数（この場合、３）がデフォルトとして設定されている。また、この場合のダビングの際の画質も、例えば、「標準画質」というように、表示されるが、このときの画質は、このときのダビング条件の設定対象となる番組（この場合には、図６に示す録画予約設定画面５１で録画条件が設定された「ドラマ  京都物語」）の放送時間とＤＶＤ１枚にダビングする番組数，ＤＶＤの容量によって決まることになり、図８に示すテンプレートのダビング条件と同じ１時間ものであれば、「低画質」ということになるが、これよりも長いものであったり、短いものとなったりすると、画質も異なることになる。
【００６５】
項目「１枚にダビングする数」６１ｄで決める１枚のＤＶＤにダビングする番組数も、リモコン１３の上記の選択・決定操作により、その数を指定することができる。なお、１枚当たりのダビング番組数を指定した場合、その個数によっては、図６に示す録画予約設定画面５１の項目「録画モード」５１ｄで指定した画質でダビングすることができない場合もある。この場合には、ダビングする際、ダビング機能付レコーダ１での画像処理部１０でこの録画済み番組のデータ量が低減され、画質が低下することになる。そこで、この項目「１枚にダビングする数」６１ｄに表示されるダビングする際の画質が図８に示すテンプレートのダビング条件での画質と異なることになる。
【００６６】
項目「保存の画質で録画」６１ｅは、このダビングを指定する放送番組（この場合には、上記のチャンネルＢＳ２２２のドラマ  京都物語）の録画時の画質を指定することができるようにしたものであり、リモコン１３の上記の選択・決定操作により、「する」，「しない」を指定することができる。「する」を選択した場合には、項目「１枚にダビングする数」６１ｄで指定したダビングする番組の数に応じた画質（この場合、低画質）が録画時の画質として指定される。従って、図６に示す録画予約設定画面５１の項目「録画モード」５１ｄでデフォルトの「高画質」が設定されていても、このダビング予約設定画面６０の項目「１枚にダビングする数」６１ｄで設定された画質（この場合、低画質）が録画予約設定画面５１の項目「録画モード」５１ｄにリンクされ、この録画予約設定画面５１の項目「録画モード」５１ｄでの画質は低画質となる。項目「保存の画質で録画」６１ｅで「しない」が指定された場合には、録画予約設定画面５１の項目「録画モード」５１ｄでは、デフォルトの「高画質」が指定されたままとなる。
【００６７】
項目「ＤＶＤメニュー作成」６１ｆは、ＤＶＤにダビングした番組のメニューを作成するかどうかを指定することができるようにしたものであり、リモコン１３の上記の選択・決定操作により、「する」，「しない」を指定することができる。「する」を選択した場合には、番組がダビングされたＤＶＤにかかる番組のメニュー（ＤＶＤメニュー）が作成されて記録されるのであるが、図１０（ａ）に示すように、ＤＶＤメニューの各種デザイン６７ａ〜６７ｆが表わされたＤＶＤメニュー設定画面６６が表示され、リモコン１３の上記の選択・決定操作によってそのいずれかを選択することができる。この選択が終了すると、あるいは選択しないとして「中止」ボタン６６ａをリモコン１３で上記の選択・決定操作すると、図９に示すダビング予約設定画面６０に戻る。
【００６８】
項目「テンプレートとして登録」６１ｇは、ダビング予約設定画面６０で上記のように設定したダビング条件をテンプレートとして登録することができるようにするものであり、リモコン１３の上記の選択・決定操作により、「する」，「しない」を指定することができる。「する」を選択した場合には、図１０（ｂ）に示すようなテンプレート予約設定画面６８が表示され、このテンプレート予約設定画面６８で登録するテンプレートの名前を入力し、「登録」ボタン６９ａをリモコン１３の選択・決定操作によって選択すると、このダビング条件が新たなテンプレートとして情報記録部６に記録されて登録され、図９に示すダビング予約設定画面６０に戻る。また、「中止」ボタン６９ｂが選択されると、新たなテンプレートが登録されずに図９に示すダビング予約設定画面６０に戻る。このようにして登録されたダビング条件の新たなテンプレートは、次回表示されるダビング条件テンプレート一覧画面（図８）に追加されて表示される。
【００６９】
項目「視聴後ダビング用に画質を変更」６１ｈは、予約録画するときの番組の画質（図６の録画予約設定画面５１の項目「録画モード」５１ｄで設定されている画質）とこのダビング予約設定画面６０の項目「１枚にダビングする数」６１ｄで設定された画質とに違いがあるとき、録画後でダビング前にこの録画済番組の画質をダビングするときの画質に変更するか否かを指示できるようにしたものであり、「する」を指定した場合には、この録画済番組が、視聴後、ダビング可能な状態となったときに、画質の変更を可能とし（この場合の画質変更の処理は、後述するように、ユーザの指示があってから行なわれる）、「いいえ」を指定した場合には、ダビングときに画質の変更が行なわれる。この画質の変更処理は、勿論図１における画像処理部１０で行なわれる。
【００７０】
以上のようにして、このダビング予約設定画面６０を用いてダビング条件が設定された後、リモコン１３の上記の選択・決定操作により、「設定保存」ボタン６２が選択されると、図６に示す録画予約設定画面５１で録画予約が設定された放送予定番組に対し、録画条件とダビング条件とがリンクされてダビング機能付レコーダ１の情報記録部６に保存される。このときも、図７に示す録画予約設定通知画面５６が表示され、「了解」ボタン５６ａをリモコン１３で選択・設定操作することにより、図４に示す番組表画面４０に戻る。
【００７１】
また、図９に示すダビング予約設定画面６０の「中止」ボタン６３をリモコン１３で選択・決定操作すると、図６の録画予約画面４０で設定された録画条件やこのダビング予約設定画面６０で設定されたダビング条件が全てキャンセルされ、図４に示す番組表画面４０に戻る。さらに、図９に示すダビング予約設定画面６０の「戻る」ボタン６４をリモコン１３で選択・決定操作すると、このダビング予約設定画面６０で設定されたダビング条件が保持されたまま、図８に示すダビング条件テンプレート一覧画面５７に戻り、他のダビング条件のテンプレートを選択できる。
【００７２】
以上のようにして作成された録画予約番組の録画条件やダビング条件は互いにリンクされて、あるいはダビング条件が録画条件に組み込まれて、図１における情報記録部６に記録されて保持される。そして、以上の録画条件やダビング条件が設定されているとき、リモコン１３のメニューボタン１５（図２）を操作して後述の図１３に示すメニュー画面８５を表示させ、その項目「予約一覧」８６ｄを選択することにより、録画条件やダビング条件の一覧をモニタ画面に表示させることができ、また、そのうちの所望の番組を選択することにより、図６に示す録画予約設定画面５１を、さらには、図９に示すダビング予約設定画面６０を表示させることができる。そして、これにより、録画条件やダビング条件を変更することが可能となる。
【００７３】
また、情報記録部６に記録された録画条件やダビング条件は制御部４によって常時監視される。そして、録画予約番組の１つの録画予約日時になると、制御部４はチューナ部２や画像データ作成部３，ＨＤＤ７などを動作させ、この録画予約番組を受信させてＨＤＤ７で録画させる。これとともに、この放送番組を録画済み番組として、録画済番組情報を作成され、情報記録部６に保存される。
【００７４】
図１１は以上のように録画条件が設定されて、あるいは録画条件とダビング条件が設定されて予約録画された録画済み番組に関する情報、即ち、録画済番組情報６９の一具体例を示すものであり、これはダビング機能付レコーダ１の情報記録部６に記録される。
【００７５】
この録画済番組情報６９は、録画データ７０ａ，予約ＩＤ（識別符号）７０ｂ，番組タイトル７０ｃ，番号形式７０ｄ，画質７０ｅ，録画日時７０ｆ，その他の番組情報７０ｇなどからなるものであって、録画データ７０ａは録画済番組のサムネイル画像である。
【００７６】
予約ＩＤ７０ｄは、録画予約された番組毎に割り当てられるＩＤであるが、連続ドラマのように、図６に示す録画予約設定画面５１の項目「日時」５１ｃで複数の番組をまとめて１回で録画条件を設定する同じ番組パックの番組には、全て同じ予約ＩＤ７０ｂが割り当てられる。従って、この録画済番組情報６９の場合、番組ＡはＣＨ（チャンネル）１で決まった曜日の決まった時間帯で放映されるものであるが、録画予約設定画面５１の項目「日時」５１ｃでこの旨の内容を設定することにより、同じ番組パックをなすものとなり、まとめて１回の録画条件の設定で済ましているため、全ての番組Ａに同じ予約ＩＤ１が割り当てられている。番組Ｂについても同様である。
【００７７】
これに対して、番組Ｃ〜Ｆに対しては、夫々個々に録画条件の設定がなされており、このため、これら夫々の番組毎に異なる予約ＩＤが割り当てられている。
【００７８】
また、同じ予約ＩＤ７０ｂが割り当てられた同じ番組パックの番組は、図９に示すダビング予約設定画面６０の項目「１枚にダビングする数」６１ｄで指定された数ずつ同じＤＶＤにダビングされる。
【００７９】
予約ＩＤの録画済み番組への割り当ては、図６に示す録画予約設定画面５１で設定された録画条件をもとに行なわれるものであって、録画予約設定画面５１の項目「番組タイトル」５１ａ，「チャンネル」５１ｂの設定内容が同一であり、かつ項目「日時」５１ｃで連続ドラマのような、例えば、毎週同じ曜日で同じ時間帯に放送される複数の番組といった、所定期間毎に放送される番組を指定する場合、これら複数の番組は、同じ番組パックの番組として、同じ予約ＩＤが割り当てられる。
【００８０】
図１１に示す例では、例えば、番組Ａが同じチャンネルかつ同じ番組タイトルで同じ曜日の同じ時間帯に放送されるものであり、これに対して録画条件が設定されたことにより、番組Ａ全てに予約ＩＤ１が割り当てられている。そして、予約ＩＤ１が割り当てられたこれら番組Ａは、ダビング予約設定画面６０の項目「１枚にダビングする数」６１ｄで指定された数ずつ順次のＤＶＤにダビングされることが予約されるが、また、かかるＤＶＤにも、この予約ＩＤに対応したＩＤが割り当てられることになる。
【００８１】
録画済番組情報６９での番組タイトル７０ｃは図６に示す録画予約設定画面５１での項目「番組タイトル」５１ａで設定された番組タイトルであり、同じく番号形式７０ｄは、番組パックの番組に対し、同じく項目「タイトルに続き番号追加」５１ｅで「する」を設定したときの項目「次回の番号」５１ｆ，項目「番号形式」５１ｇの設定内容に応じたものである。例えば、番組タイトル７０ｃが「番組Ａ」の番組パックの録画済番組についてみると、番組Ａが録画される毎に、録画条件である項目「次回の番号」５１ｆが変化していくから、その録画順に「第１話」，「第２話」，「第３話」，「第４話」，「第５話」となる。
【００８２】
なお、第５話から第９話までの番組Ｂも、同じ番組パックをなすものであって、予約ＩＤ７０ｃとして、同じ「予約ＩＤ２」が割り当てられており、１枚のＤＶＤにダビングする番組Ｂの数は図９に示すダビング予約設定画面６０での項目「１枚にダビングする数」６１ｄで指定された個数であり、例えば、図９に示すように、指定個数を「３」とすると、番組Ｂが第５話から３話ずつがまとめて１枚ずつのＤＶＤ（この場合、ＤＶＤ）にダビングされることになる。そして、これらＤＶＤには、番組Ｂの予約ＩＤに対応したＩＤが割り当てられる。
【００８３】
また、番組Ｃ，Ｄ，Ｅ，Ｆは、個々に録画条件やダビング条件が設定された個別の番組であり、夫々異なる予約ＩＤが割り当てられる。
【００８４】
録画済番組情報６９の画質７０ｅは、図６に示す録画予約設定画面５１での項目「録画モード」５１ｄで指定される画質（もしくは、図９に示すダビング予約設定画面６０での項目「保存の画質で録画」６１ｅを「する」にしたときの項目「１枚にダビングする数」６１ｄで決まる画質）をビットレート「ｂｐｓ（バイト／秒）」で表わしたものである。最高画質，高画質，標準画質，低画質，長時間録画用画質など毎にビットレートの範囲が決められており、録画済番組情報６９の画質７０ｅでは、録画時のビットレートが直接使用されるが、録画予約設定画面５１での項目「録画モード」５１ｄやダビング予約設定画面６０での項目「１枚にダビングする数」６１ｄでは、このビットレートに対応して、上記の最高画質，高画質，標準画質，低画質，長時間録画用画質などのいずれかが表示される。
【００８５】
録画済番組情報６９の録画日時７０ｆは、録画済み番組の録画日時を表わすものであり、この録画済み番組のチャンネルも含まれるようにしてもよい。その他の番組情報７０ｇは、録画済み番組の上記の録画データの種類７０ａや予約ＩＤ（識別符号）７０ｂ，番組タイトル７０ｃ，番号形式７０ｄ，画質７０ｅ，録画日時７０ｆ以外の関連情報であり、例えば、ダビング機能付レコーダ１の情報記録部６に記録されている番組内容情報４７（図５）や設定されたダビング条件，図９に示すダビング保存予約設定画面（ダビング条件）での項目「視聴後にのみ保存」６１ｃを「する」としたときの視聴の有無を表わす情報などである。
【００８６】
以上のようにして、録画条件，ダビング条件が設定された放送番組がダビング機能付レコーダ１のＨＤＤ７（図１）に録画されると、録画済番組情報６９（図１１）が作成されて情報記録部６に保存される。そして、ダビング可能な録画済番組に対しては、ダビング設定情報が作成されて情報記録部６（図１）に保存される。図６に示す録画予約設定画面５１の項目「日時」５１ｃ特定の日時が指定されて１回限りの録画となる番組については、それが録画されただけでダビング設定情報が作成され、ダビングが可能となるが、項目「日時」５１ｃで特定の日時以外、例えば、毎週や月〜金曜日などといった複数回の録画が行なわれる設定がなされ、かつ図９に示すダビング予約設定画面６０の項目「１枚にダビングする数」６１ｄに２以上の数値が設定された番組パックに対しては、この項目「１枚にダビングする数」６１ｄで設定された番組数の番組が録画されて始めてダビング設定情報が作成され、ダビングが可能となる。例えば、図９に示すダビング予約設定画面６０のようにダビング条件が設定された図６に示す録画条件の「ドラマ  京都物語」の番組パックに対しては、第６話まで録画されたときには、第１話〜第３話でこれに対するダビング設定情報が作成され、第４話〜第６話でこれに対するダビング設定情報が作成されるが、次に、第７話が録画されても、新たなダビング設定情報は作成されず、第９話まで録画されるまでダビング設定情報の作成が待機される。なお、このダビング設定情報は、ダビングを許可するＩＤと番組タイトルと各番組の話番号などの番号などからなる。これにより、このダビング設定情報に含まれる番号の番組が１枚のＤＶＤにまとめてダビングされることが許可されることになる。勿論、録画済番組がダビングが許可されない番組のみであるときには、常にダビングを許可しないＩＤを備えたダビング設定情報が１つ作成されており、予約録画が進行したダビングが可能な録画済番組が存在するようになると、ダビング設定情報がこの番組に適用され、そのＩＤがダビングを許可するＩＤに変更されるようにしてもよい。
【００８７】
以上のようにして、予約録画が行なわれて録画済番組情報６９が作成されていき、かかる状態でユーザがリモコン１３の録画番組ボタン２０を操作すると、あるいはメニューボタン１５を操作して後述の図１３に示すメニュー画面８５を表示させ、その項目「録画番組」８６ｂを選択すると、後述の図１８で示す録画番組一覧画面１０８が表示され、そのうちの所望の録画済番組をカーソル１１１で選択してリモコン１３の再生ボタン２７（図２）を操作すると、この録画済番組が再生されたモニタ画面に表示される。
【００８８】
なお、図９に示すダビング予約設定画面６０での項目「視聴後にのみ保存」６１ｃで「ＯＮ」とされた録画済番組は、上記のように、リモコン１３を操作して再生されると、しかも、この録画済番組の最後まで再生されると、この項目「視聴後にのみ保存」６１ｃが自動的に「ＯＦＦ」となるように、ダビング条件が自動的に変更され、ダビングができる候補となる。
【００８９】
また、リモコン１３の所定操作により、図示しないが、図９に示すダビング保存予約画面６０の項目「視聴後ダビング用に画質を変更」６１ｈで「する」が指定された録画済番組（以下、画質変更予定録画番組という）の変更を指示できる画質変更画面が表示される。かかる画質変更処理は、ダビング機能付レコーダ１が受信番組をモニタ画面で表示する受信モードのときのみ可能であって、録画やダビングが行なわれる合間に可能であり、いつでも、また、いつまでも画質変更処理が行なわれる、というものではない。このために、この画質変更画面では、画質変更処理の時間帯を、その開始時刻と終了時刻とで指示するようにしている。
【００９０】
このようにして、画質変更画面で画質変更処理の時間帯が指定されると、ダビング機能付レコーダ１の制御部４（図１）は、各録画予約番組の録画条件などを基に、この指定された時間帯のうちで実際に画質変更処理が可能な時間帯を決定し、例えば、図１１に示す録画好き番組情報６９の録画日時７０ｆの放送時間帯の情報などを基に、この可能な時間帯で画質変更処理が可能な画質変更予定録画番組のうちのダビングが可能なものを検索する。ここで、ダビングが可能な画質変更予定録画番組とは、上記のダビング設定情報が設定されている画質変更予定録画番組であって、図９に示すダビング保存予約画面６０の項目「視聴後ダビング用に画質を変更」６１ｈで「する」が指定されて、既に視聴済み（上記のように、リモコン１３の操作によってＨＤＤ７から再生され、モニタ画面で再生表示されている）のものである。
【００９１】
録画済番組情報６９が保存されている状態で、ダビング条件に基づいてダビング可能な状態にある（即ち、ダビング設定情報が設定されている）録画済番組がＨＤＤ７に保存されているとき、ダビング機能付レコーダ１のダビング部８に記録可能な空き容量があるＤＶＤがセットされると、モニタ画面では、例えば、図３に示す受信番組の画面３０からそのセットを通知する図１２に示すようなセット通知画面８０に表示が切り換わる。
【００９２】
このセット通知画面８０では、ＤＶＤのセットの通知とＤＶＤへのダビングの実効の有無の問い合わせのメッセージ８１が表示され、これとともに、「はい」ボタン８２と「いいえ」ボタン８３とが表示され、リモコン１３の選択・決定操作によってこれら「はい」ボタン８２，「いいえ」ボタン８３間を移る枠状のカーソル８４により、そのいずれかを選択することができる。そして、「いいえ」ボタン８３が選択されたときには、図３に示すもとの受信番組の画面に戻るが、「はい」ボタン８２が選択されたときには、モニタ画面では、後述するダビング設定のための画面（ダビング設定画面）が表示される。
【００９３】
また、ダビング機能付レコーダ１のダビング部８にＤＶＤがセットされていても、また、セットされていなくとも、リモコン１３のメニューキー１５（図２）が操作されると、モニタ画面に図１３（ａ）に示すようなメニュー画面８５が表示される。
【００９４】
このメニュー画面８５では、メニュー「番組ガイド」８６ａ，「録画番組」８６ｂ，「ダビング」８６ｃ，「予約一覧」８６ｄ，「各種設定」８６ｅなどが設けられており、枠状のカーソル８７により、リモコン１３の選択・決定操作でもってそのいずれかのメニューを選択できるようにしている。
【００９５】
いま、カーソル８７をメニュー「ダビング」８６ｃに合わせると、ダビングが可能な状態にあるときには、ダビングの方向を選択できるサブメニュー８８が表示させる。このサブメニュー８８としては、例えば、ＨＤＤからＤＶＤへのダビング「ＨＤＤ→ＤＶＤ」、ＤＶＤからＨＤＤへのダビング「ＤＶＤ→ＨＤＤ」及びＨＤＤからＨＤＤへのダビング「ＨＤＤ→ＨＤＤ」などが用意されている。そこで、図１３（ｂ）に示すように、カーソル８７をこのサブメニュー８８での「ＨＤＤ→ＤＶＤ」に一致させて選択するリモコン１３での選択・決定操作を行なうと、図１２に示すセット通知画面８０で「はい」ボタン８２を選択したときと同様、モニタ画面では、次に説明するダビング設定画面が表示される。
【００９６】
ここで、ダビングとは、録画済み番組などのデータの複製（コピー）を作成すること、及びデータを他の記録メディアに移動すること（この場合には、ダビング元のデータは消去される）の両方を含む。録画済み番組が、例えば、映画などの場合には、複製が禁じられていることもあり、このような場合には、データの移動のみが可能となる。
【００９７】
図１４は上記のダビング設定画面８９の一具体例を示すものであって、図１２に示すセット通知画面８０で「はい」ボタン８２をリモコン１３で選択・決定操作すると、あるいは図１３（ｂ）に示すメニュー画面８５のサブメニュー８８をリモコン１３で選択・決定操作すると、このダビング設定画面８９がモニタ画面に表示される。
【００９８】
このダビング設定画面８９には、タグ「ダビング準備済」９０ａ，「ダビング可能番組」９０ｂ，「個別選択」９０ｃなどが設けられており、タグ「ダビング準備済」９０ａを選択すると、ダビング条件が上記のように設定されている録画済番組のリストが表示され、リモコンの選択・設定操作により、このリストから枠状のカーソル９１でダビングを希望する録画済番組を選択することができる。このリストでは、各録画済番組が設定された録画条件やダビング条件をもとに表示されており、例えば、録画済番組「京都物語」は、番号形式が図６に示す録画予約設定画面５１によって設定されたものであって、第１話〜第６話が録画済であり、また、図９に示すダビング予約設定画面６０によって１枚にダビングする番組数が３と設定されているため、「京都物語」が第１話〜第３話と第４話〜第６話とに分けられている。
【００９９】
タグ「ダビング準備済」９０ａの録画済み番組のリストにおいて、いま、「京都物語  第１話〜第３話」をリモコン１３の選択・設定操作で選択すると、この選択されたダビング予定の録画済番組の図１５に示すダビング内容確認画面９２がモニタ画面に表示される。このダビング内容確認画面９２では、図１４に示すダビング設定画面８９でのこの録画済み番組のリストの中から選択された録画済番組の、例えば、放送日時といった詳細情報９３が表示される。ここでは、録画情報「京都物語  第１話〜第３話」が選択されたものとしており、この場合には、各話毎にその放送日が表示されている。
【０１００】
また、このダビング内容確認画面９２には、ダビングする記録メディア（この場合、ＤＶＤ）に付けるタイトルを表わす項目「ディスクタイトル」９４ａ、ＣＭスキップをするか否かを表わす項目「ＣＭスキップ」９４ｂ、図９に示すダビング予約設定画面６０の項目「ＣＭスキップ」６１ｂで「する」を設定したことによってなされた録画時のＣＭスキップの状態を確認するための項目「ＣＭスキッププレビュー」９４ｃ、ダビングの速さなどを指定するための項目「ダビングモード」９４ｄ、図１０（ａ）に示すＤＶＤメニュー設定画面６６で選択されたＤＶＤメニューのデザインを表わす項目「ＤＶＤメニューデザイン」９４ｅなどが設けられている。ここで、項目「ディスクタイトル」９４ａは録画番組のタイトルが設定され、項目「ＣＭスキップ」９４ｂは、図９に示すダビング予約設定画面６０の項目「ＣＭスキップ」６１ｂで「する」を設定したとき、「する」が設定される。項目「ダビングモード」９４ｄには、「高速ダビング」が設定されており、ダビングの画質も表示される。また、「ダビング開始」ボタン９５と「中止」ボタン９６とが設けられており、これらのいずれかを、リモコン１３の選択・決定操作により、枠状のカーソル９７で選択することができる。「中止」ボタン９６が選択されると、図３に示すような受信番組の表示画面３０に移る。
【０１０１】
図９に示すダビング予約設定画面６０の項目「ＣＭスキップ」６１ｂで「しない」が設定されたときには、ダビング内容確認画面９２の項目「ＣＭスキップ」９４ｂでは、「しない」が設定されることになるが、かかる状態で「ダビング開始」ボタン９５が選択されると、ダビング機能付レコーダ１のダビング部８（図１）で直ちにダビングが行なわれる（勿論、この場合には、ダビング部８にＤＶＤがセットされている。セットされていなければ、その旨がダビング内容確認画面９２で表示される）。このダビングは次のように行なわれる。即ち、ダビング内容確認画面９２で詳細情報９３が表示されている番組（ここでは、「京都物語  第１話〜第３話」）がダビング機能付レコーダ１のＨＤＤ７（図１）から読み出されて画像処理部１０（図１）に送られ、図９に示すダビング予約設定画面６０の項目「１枚にダビングする数」６１ｄの設定内容に応じた画質の画像データとなるように画質を変更する処理がなされた後、ダビング部８（図１）に供給されてＤＶＤにダビングされる。
【０１０２】
なお、上記のように、図９に示すダビング予約設定画面６０の項目「視聴後ダビング用に画質を変更」６１ｈで「する」が設定されたが、既に画質変更処理がなされた録画済番組（画質変更予約録画済番組）のダビングの際には、画像処理部１０での画質変更処理がなされないことはいうまでもない。
【０１０３】
また、このダビング動作中、図１６に示すダビング経過画面９８が表示され、これに「ダビング中」や「ダビング終了」などといった案内とともに、「ＨＤＤ→ＤＶＤ」などのダビングの方向、「２％」などのダビングの経過といったダビング経過情報９９が表示される。ダビングが終了して所定の操作をすると、図３に示すような受信番組の表示画面３０に移る。
【０１０４】
ダビング内容確認画面９２の項目「ＣＭスキップ」９４ｂで「する」が設定されるときに、「スキップレビュー」ボタン９４ｃが選択されると、図１７（ａ）に示すＣＭスキッププレビュー画面１００がモニタ画面に表示される。このＣＭスキッププレビュー画面１００では、ダビング内容確認画面９２のリスト９３に挙げられた番組１０１ａ，１０１ｂ，１０１ｃが表示され、このうちのＣＭスキップをプレビューしたい番組が枠状のカーソル１０７で選択されている。そして、この選択された番組（ここでは、番組１０１ａとする）がダビング機能付レコーダ１のＨＤＤ７（図１）から再生されて再生表示エリア１０２に表示され、また、この選択された番組の再生の全体時間を表わす再生バー１０３が表示される。この再生バー１０３の左端が再生開始端，右端が再生終了端であり、再生の進行とともに、再生マーク１０５が再生バー１０３の左端から右方向に移動していく。即ち、再生バー１０３での再生マーク１０５の位置が番組の再生位置に対応している。
【０１０５】
図１５に示すダビング内容確認画面９２の「スキップレビュー」ボタン９４ｃが選択されて図１７（ａ）に示すＣＭスキップレビュー画面１００が表示されたときには、この番組は通常再生モードで再生され始めるのであるが、ＣＭスキップレビュー画面１００が表示されている限りでは、リモコン１３の早送りボタン２８，巻戻しボタン２９（図２）を操作することにより、早送り再生モードとすることもできるし、巻戻し再生モードとすることもでき、また、再生ボタン２７を操作することにより、通常再生モードに戻すこともできる。
【０１０６】
また、図９に示すダビング予約設定画面６０の項目「ＣＭスキップ」６１ｂで「する」を設定した場合には、再生バー１０３でのＣＭに対応する領域がチャプタで規定されている。ここでは、チャプタ１０４ａ〜１０４ｂ間，チャプタ１０４ｃ〜１０４ｄ間及びチャプタ１０４ｅ〜終端間の夫々ハッチングして示す領域がＣＭスキップ領域として設定されている。これらＣＭスキップ領域は、図９に示すダビング予約設定画面６０の項目「ＣＭスキップ」６１ｂで「する」を設定したことにより、録画するときに自動的に設定されたものである。
【０１０７】
かかるＣＭスキップ領域は、リモコン１３のカラー（青）ボタン２２，カラー（赤）ボタン２３（図２）を用いることにより、修正することができる。例えば、図１７において、再生表示エリア１０２で番組１０１ａの再生画面を確認し、チャプタ１０４ａがＣＭの開始タイミングからずれている場合には、再生マーク１０５をこのチャプタ１０４ａに一致させて停止させ（リモコン１３の停止ボタン２６（図２）を操作）、かかる状態でカラー（赤）ボタン２３を操作する。これにより、このチャプタ１０４ａが削除されて、ＣＭスキップレビュー画面１００の再生バー１０３では、図１７（ｂ）に示す状態となる。
【０１０８】
しかる後、リモコン１３の各種ボタン２６〜２９を操作してＣＭの開始位置を検索し（この操作につれて再生マーク１０５が再生バー１０３に沿って移動する）、再生バー１０３でのこの開始位置に再生マーク１０５を一致させ、リモコン１３のカラー（青）ボタン２２を操作すると、図１７（ｃ）に示すように、チャプタ１０４ａ’が再生バー１０３に打ち込まれる。そして、リモコン１３の巻戻しボタン２９を操作することにより、若干巻き戻し、図１７（ｄ）に示すように、再生マーク１０５を新しいチャプタ１０４ａ’よりも少し前に戻し、ついでリモコン１３の再生ボタン２７を操作して再生を開始させることにより、このチャプタ１０４ａ’がＣＭスキッブ領域の開始を正しく表わしているかどうかを確認することができる。そして、確認後、リモコン１３のカラー（黄）ボタン２５を操作すると、このチャプタ１０４ａ’（従って、ＣＭスキップ領域の開始位置）が設定される。この設定操作をしないと、チャプタの修正はキャンセルされ、もとのチャプタ１０４ａに戻ることになる。
【０１０９】
以下同様にして、他のチャプタについても、必要に応じて位置を修正することができる。そして、番組１０１ａのＣＭスキップ領域の修正が終わると、カーソル１０７を次の番組１０１ｂに移すことにより、この番組１０１ｂについて、ＣＭスキップ領域の修正ができ、さらに次の番組１０１ｃについても、同様である。
【０１１０】
夫々の番組１０１ａ〜１０１ｃでのＣＭスキップ領域の修正が終了すると、カーソル１０７は「確認終了」ボタン１０６に移る。そして、リモコン１３の決定ボタン１７（図２）を操作すると、以上のＣＭスキップ領域の修正結果が確定し、これら番組１０１ａ〜１０１ｃのＤＶＤへのダビングが開始される。これとともに、図１６に示すダビング経過画面９８がモニタ画面に表示される。
【０１１１】
なお、各番組１０１ａ〜１０１ｃにＣＭスキップ領域が設定されているかどうかを確認するだけならば、図１７（ａ）に示すように、ＣＭスキップレビュー画面１００が表示されたとき、カーソル１０７を順に移動させていけばよく、夫々の番組１０１ａ〜１０１ｃの再生バー１０３が表示されるから、この確認をすることができる。カーソル１０７を最後に配列される番組１０１ｃからさらに下方に移動させると、「確認終了」ボタン１０６に移り、そこで、リモコン１３の決定キー１７（図２）を操作すると、ＣＭ領域をスキップするダビングが開始する。
【０１１２】
以上のダビングのための操作は、上記のように、ダビング機能付レコーダ１のダビング部８（図１）にＤＶＤを装着したときにモニタ画面に表示される図１２に示すセット通知画面８０で「はい」ボタン８２を操作することにより、あるいは、リモコン１３の「機能メニュー」ボタン１８（図２）を操作してモニタ画面に表示される図１３に示すメニュー画面８５を操作することにより、行なうことができるが、リモコン１３の「録画番組」ボタン２０（図２）を操作しても、行なうことができる。
【０１１３】
この「録画番組」ボタン２０を操作すると、モニタ画面に図１８に示す録画番組一覧画面１０８が表示される。この録画番組一覧画面１０８では、録画済番組が番組タイトル別に表示され、連続ドラマなどの所定期間毎に同じ時間帯で放送される同じタイトル，同じチャンネルの番組、即ち、同じ予約ＩＤ７０ｂ（図１１）を持つ一連の録画済み番組からなる番組パックはまとめて表示される。番組「京都物語」１０９ａがこれに該当する。また、単独で録画予約した番組は、それ単独で表示される。番組「東京食べ歩き」１０９ｂはこれに該当する。
【０１１４】
このように、番組パックの一連の番組は、１つに重ねられて表示され、しかも、このように重ねて表示しても、その番組を容易な識別することができるから、１つの画面に表示される録画済番組の数が少なくなり、録画済番組のリストが非常に見易くなる。
【０１１５】
そして、各番組には、図１０（ａ）に示すＤＶＤメニュー設定画面６６で選択されたＤＶＤメニューのデザイン６７が表示され、また、ダビングが可能な番組（即ち、上記のタビング設定情報が設定されている番組）には、ダビング準備完了マーク１１０が付されている。ここで、ダビング準備完了とは、図９に示すダビング予約設定画面６０で設定されたダビング条件を満たす状態になっており、ダビングが可能な状態をいう。ここでは、番組「京都物語」１０９ａのみがダビング準備完了状態にあるものとしているが、図９に示すダビング予約設定画面６０でダビング条件が設定された単独の録画済番組は、ダビングが可能な状態にあるから、ダビング準備完了マーク１１０が付される。
【０１１６】
リモコン１３の選択・決定操作により、枠状のカーソル１１１でもって所望の番組を選択することができる。いま、ダビング準備完了マーク１１０が付された番組「京都物語」１０９ａを選択したとすると、図１９（ａ）に示す選択録画番組画面１１２がモニタ画面に表示され、この選択録画番組画面１１２に選択された番組「京都物語」１０９ａが各放送日毎（話毎）に分けて表示される。そして、ダビングが可能な場合には、その旨の表示がなされる。この番組「京都物語」１０９ａの場合、図６に示す録画予約設定画面５１で録画条件を設定し、図９に示すダビング予約設定画面６０でダビング予約したものとすると、第１話から第４話まで録画されている場合、第１話から第３話までがダビング可能であり、これら第１話〜第３話に対してダビング準備完了の表示がなされる。第４話は第５話，第６話が録画されてダビング可能となる。
【０１１７】
この選択録画番組画面１１２において、デフォルトとして、枠状のカーソル１１３が最も新しく録画された第４話に合わされているが、リモコン１３の十字キー１６（図２）を操作すると、カーソル１１３は他の話番号のものに移動させることができる。ダビング可能な第１話〜第３話のいずれかにカーソル１１３がある場合には、リモコン１３の十字キー１６を操作して、カーソル１１３を、図１９（ｂ）に示すように、「ダビング」ボタン１１４に移すことができる。そこで、リモコン１３の決定キー１７を操作すると、図１５に示すダビング内容確認画面９２に移り、上記のように、ダビングの内容の確認やＣＭスキップの確認などをすることができ、しかる後、ダビング内容確認画面９２で設定されているダビングモードでダビングが行なわれる。
【０１１８】
ダビングが終了すると、制御部４（図１）は、ダビングがなされたＤＶＤ（以下、ダビング先ＤＶＤという）に、図１１に示す録画済番組情報６９で割り当てられているこのダビング先ＤＶＤにダビングされた録画済み番組（以下、ダビング済み番組という）の予約ＩＤに対応するＩＤ（以下、ダビング番組ＩＤという）とともに、このダビング先ＤＶＤにユニークなＩＤ（以下、メディアＩＤという）を割り当てる。ダビング番組ＩＤは、同じ予約ＩＤが割り当てられた同一番組パックの番組をダビングしたＤＶＤでは、全て同じであるが、メディアＩＤはダビング先ＤＶＤ毎に異なるものである。
【０１１９】
そして、制御部４は、ダビング先ＤＶＤに予め与えられている名称（メディア名称）を読み取り、これとこのダビング先ＤＶＤにダビングされたダビング済み番組の名称（例えば、上記の「京都物語」）とをこのダビング先ＤＶＤのメディアＩＤ，ダビング番組ＩＤと関連付けてダビング先メディア情報とし、これをダビング機能付レコーダ１の情報記録部６（図１）に登録する。
【０１２０】
また、制御部４は、ダビングを終了すると、図９に示すダビング予約設定画面６０の項目「ＤＶＤメニュー作成」６１ｆをもとに図１０（ａ）に示すＤＶＤメニュー設定画面６６から選択したＤＶＤメニューデザイン６７を用いて、このダビング先ＤＶＤに対するコンテンツメニューを作成する。そして、このコンテンツメニューにユニークな管理ＩＤを割り当て、このコンテンツメニューを、この管理ＩＤをこのダビング先ＤＶＤに割り当てられた上記のメディアＩＤに関連付ける情報とともに、情報記録部６（図１）に登録する。かかるコンテンツメニューはダビング先ＤＶＤのダビング済み番組を選択するためのものであって、各ダビング済み番組毎にサムネイル画像，番組タイトル，録画時間，ダビング画質，録画時間長，番組ジャンル，出演者などの番組情報が付加されている。
【０１２１】
ダビングが終了して以上のような情報が作成されると、制御部４は情報記録部６（図１）から所定の画面情報を読み取り、図２０（ａ）に示すようなダビング終了通知画面１１５を作成し、これをモニタ画面に表示させる。このダビング終了通知画面１１５では、ダビングした録画済み番組に関する情報１１６や、ダビングが終了したこととこのダビング先ＤＶＤに対するコンテンツメニューの管理ＩＤとを知らせるメッセージ１１７が表示される。ユーザはこのダビング終了通知画面１１５からこのダビング先ＤＶＤに割り当てられた管理ＩＤを知ることができ、この管理ＩＤをこのダビング先ＤＶＤのラベルにメモしておくことができる。なお、リモコン１３の決定キー１７（図２）を操作すると、図３に示す受信番組を表示する画面３０に移る。
【０１２２】
また、ダビングが終了すると、図３で説明した受信番組の表示画面３０に移り、この表示画面３０に、図２０（ｂ）に示すように、ダビング先ＤＶＤに対するコンテンツメニューの管理ＩＤとを知らせるメッセージ１１８を表示するようにしてもよい。
【０１２３】
この管理ＩＤを利用することにより、ダビング先ＤＶＤにダビングされている番組を知ることができる。例えば、リモコン１３のメニューボタン１５（図２）を操作することにより、図１３に示すようなメニュー画面８５をモニタ画面に表示させ、その項目「各種設定」８６ｅを選択することにより、図示しないが、管理ＩＤの入力画面を表示させるリモコン操作をし、これにダビング先ＤＶＤの管理ＩＤを入力する。これにより、制御部４は情報記録部６でコンテンツメニューを検索し、この入力された管理ＩＤに該当するコンテンツメニューを読み出してモニタ画面に表示させる。ユーザはこのコンテンツメニューの番組を指示することにより、この番組の上記番組情報を知ることができる。しかも、かかる番組情報はサムネイル画像，番組タイトル，録画時間，ダビング画質，録画時間長，番組ジャンル，出演者などからなるものであるから、番組の内容をかなり詳細に知ることができる。
【０１２４】
このようにして、ダビング先ＤＶＤをドライブに装着して再生しなくとも、このダビング先ＤＶＤに記録されている番組の内容を知ることができる。
【０１２５】
また、管理ＩＤはメディアＩＤと関連付けられ、また、メディアＩＤとダビング番組ＩＤとがダビング先メディア情報で関連付けられているから、同様のリモコン操作により、入力した管理ＩＤからこの管理ＩＤが割り付けられたダビング先ＤＶＤと同じ番組パックの番組がダビングされた他のダビング先ＤＶＤの管理ＩＤ、従って、かかる他のダビング先ＤＶＤを見つけ出すことができる。
【０１２６】
以上のようにして、この実施形態では、番組を録画する前に、録画条件とともに、ダビング条件もまとめて設定して保存することができ、ダビングを実行するときに、該当するダビング条件を読み出して利用されるものである。ユーザが番組表にある所望の番組をリムーバブル記録メディアに保存したい場合には、これを録画することが必要であり、このために、録画予約がなされる（録画条件の設定）が、この録画予約とともに、ダビング条件を設定してダビング予約もできるから、保存したい番組のダビング予約をし損なうことはないし、また、番組パックに対しては、その一連の番組のうちの最初の１つについて録画予約やダビング予約をするだけで、残りの全ての番組の録画予約，ダビング予約もなされることになり、タイトルや放送時間帯などの同じような情報内容の録画予約，ダビング予約の操作を繰り返す必要がない。
【０１２７】
また、同じ番組パックの番組は、指定される個数ずつ同じ記録メディアにまとめてダビングされるものであるから、しかも、管理ＩＤが分かりさえすれば、少ない記録メディアを対象として、しかも、記録メディアを直接再生しなくとも、所望とする番組がダビングされている記録メディアを探し出すことができ、番組を探し出す手間を軽減することができる。
【０１２８】
なお、以上の説明では、各種操作をリモコン１３によって行なうものとしたが、ダビング機能付レコーダ１（図１）に操作部を設け、この操作部によっても同様の操作をすることができるようにしてもよい。
【０１２９】
以上、本発明の一実施形態について説明したが、ダビング予約が設定されないで録画された録画済み番組も、それをＨＤＤ７から再生して閲覧した結果、ユーザとして、ＤＶＤにダビングして保存しておきたいものもあり、また、ダビング予約が設定されている録画済み番組も、ダビング予約を解除したいものもある。このため、この実施形態では、さらに、録画済み番組のダビング条件の設定（ダビング予約の設定），録画済み番組の移動及びダビング予約した録画済み番組の予約解除（ダビング予約解除）を行なうことができるようにしている。以下、これらについて説明する。
【０１３０】
（ａ）録画済み番組のダビング条件の設定：
この場合には、図１４に示すダビング設定画面８９において、タグ「ダビング可能番組」９０ｂを選択する。これにより、図１における制御部４は、情報記録部６に記録されている図１１に示す録画済番組情報６９からダビング予約されていない録画済み番組を検索し、その検索結果得られた録画済み番組を、ダビング可能番組として、そのリストを表わす図２１に示すようなダビング可能番組リスト画面１２０をモニタ画面に表示する。
【０１３１】
かかるダビング可能番組リスト画面１２０では、初期表示として、番組別に区分けして表示されるが（この場合、同じ番組パックのダビング可能番組は、一纏めに表示される）、その区分けの仕方を変更することもできる。即ち、図２１に示すダビング可能番組リスト画面１２０で図２のリモコン１３の機能メニューボタン１８を操作すると、図２２に示すように、ダビング可能番組リスト画面１２０上に機能メニュー画面１２１が表示される。これには各種の機能メニューが設定されているが、そのうちの１つの機能メニュー「区分け変更」には、区分けの方法として、「番組別」，「録画別」，「ジャンル別」，「出演者別」，「予約条件別」などといった区分けに関するサブメニュー１２１ａが設けられており、これらのいずれかを選択することにより、ダビング可能番組リスト画面１２０でのダビング可能番組の区分け方法を変更することができる。
【０１３２】
リモコン１３の選択・決定操作により、ダビング可能番組リスト画面１２０のリストの中から１つの番組もしくは番組パックを選択すると、図２３に示す選択ダビング可能番組画面１２２がモニタ画面に表示される。これには、図２１のダビング可能番組リスト画面１２０で選択されたダビング可能番組が図１９に示す選択録画番組画面１１２と同様の方法で表示され、これにより、ダビング予約する録画済み番組を確認することができる。この確認を行なって「ダビング条件設定」ボタン１２３をリモコン１３の選択・決定操作すると、図８に示すダビング条件テンプレート一覧画面５７がモニタ装置で表示され、以下、先に説明したのと同様にして、図９に示すダビング予約設定画面６０を基に、このダビング可能番組のダビング条件を設定し、「設定保存」ボタン６２をリモコン１３の選択・決定操作で選択すると、ダビング予約がなされることになる。
【０１３３】
そして、このダビング予約された番組が番組パックである場合には、この番組パックに属する今後録画される番組についても、設定されたこの同じダビング条件を付与してもよいか否かを問い合わせる問い合わせ画面１２４が、図２４に示すように、モニタ画面に表示される。そこで、「はい」ボタン１２５を選択することにより、今後録画される同じ予約ＩＤの番組には、この同じダビング条件が設定されて自動的にダビング予約がなされることになる。また、「いいえ」ボタン１２６が選択されると、今後録画される同じ予約ＩＤの番組には、ダビング条件が設定されないことになる。
【０１３４】
なお、図２３に示す選択ダビング可能番組画面１２２で表示される選択されたダビング可能番組が、上記のようにして、図９に示すダビング予約設定画面６０を用いてダビング条件が設定されたとき、図１でのダビング部８にこれをダビング可能な空き容量を持つＤＶＤがセットされていて、ダビングが可能な状態にあるときには、図２３に示す選択ダビング可能番組画面１２２で「ダビング条件設定」ボタン１２３がリモコン１３の選択・決定操作によって選択されると（上記のダビング条件が設定されたダビング可能番組が番組パックのものでない場合）、もしくは問い合わせ画面１２４で「はい」ボタン１２５がリモコン１３の選択・決定操作によって選択されると（上記のダビング条件が設定されたダビング可能番組が番組パックのものである場合）、図２５に示すダビング可能通知画面１２７がモニタ画面に表示される。
【０１３５】
このダビング可能通知画面１２７には、図１９に示した選択録画番組画面１１２と同様、ダビング条件が設定されたダビング可能番組の名前と「ダビング」ボタン１２８とが設けられているが、さらに、「ダビング条件設定」ボタン１２９とが設けられている。ここで、「ダビング」ボタン１２８をリモコン１３の選択・決定操作で選択すると、図１５に示すダビング内容確認画面９２がモニタ画面に表示され、その「ダビング開始」ボタン９５を選択することにより、上記のように、ダビングが可能となる（勿論、項目「ＣＭスキップ」９４ｂで「する」が選択されているときには、項目「ＣＭスキッププレビュー」９４ｃを選択することにより、図１７で説明したようなＣＭスキップの確認や変更をすることができる）。図２５に示すダビング可能通知画面１２７の「ダビング条件設定」ボタン１２９が選択されたときには、図３に示す受信番組の画面３０の表示状態となる。
【０１３６】
このようにして、録画するときにダビング条件が設定されていなかった録画済み番組も、それをＨＤＤ７から再生して閲覧した後でも、ダビング条件を設定してダビング予約した録画済み番組とすることができ、このとき、この番組をダビングできる空き容量を持つＤＶＤがダビング部８にセットされていれば、直ちにダビングすることができる。
【０１３７】
（ｂ）録画済み番組の移動：
番組タイトルが異なる録画済み番組であっても、その内容からして、これらを総合した方がよい場合がある。この実施形態では、このような場合、一方の録画済み番組を他方の録画済み番組に統合するように移動させ、番組パックを形成することができるものである。一方が番組パックである場合には、この番組パックの方に番組を移動させて統合するものである。
【０１３８】
図２に示すリモコン１３の録画番組ボタン２０を操作すると、図２６（ａ）に示すように、図１８に示す録画番組一覧画面１０８と同様の録画番組一覧画面１３０がモニタ画面に表示されるが、いま、この録画番組一覧画面１３０で録画済み番組が番組タイトル別で表示されている結果、番組タイトル「プロ野球中継」の録画済み番組１３１ａと番組タイトル「野球〇対△」の録画済み番組１３１ｂとがあるものとする。しかし、この録画済み番組１３１ｂは、その内容からみて、プロ野球の中継番組であり、番組タイトル「プロ野球中継」１３１ａの範疇に入るものとすると、この録画済み番組１３１ｂを番組タイトル「プロ野球中継」の録画済み番組１３１ａに組み込んだ方がよい。録画済み番組の移動とは、このような場合に、この録画済み番組１３１ｂを録画済み番組１３１ａに移動させて組み込むようにするものである。
【０１３９】
このために、この録画番組一覧画面１３０において、リモコン１３の十字キー１６の操作によって録画済み番組１３１ｂに枠状のカーソル１３２を一致させ、図２に示す機能メニューボタン１８を操作すると、図２６（ｂ）に示すように、録画番組一覧画面１３０上に機能メニュー画面１３３が表示される。この機能メニュー画面１３３でメニュー「移動」１３３ａをリモコン１３の選択・決定の操作で選択すると、録画番組一覧画面１３０に戻り、これに、例えば、「移動先を選んで決定を押してください」という案内メッセージ１３４が表示される。この案内に従ってリモコン１３の選択・決定の操作で移動先の録画済み番組１３１ａを選択すると、録画済み番組１３１ｂがこの録画済み番組１３１ａへ移動して、番組タイトル「プロ野球中継」の番組パックになる。
【０１４０】
ここで、総合される録画済み番組１３１ａ，１３１ｂの少なくともいずれかでダビング条件が設定されているときには、これらが統合された番組パックも、これと同じダビング条件が設定されていることになる。
【０１４１】
（ｃ）ダビング予約解除：
録画予約時にダビングの予約をしても、この後、ＨＤＤ７から再生して閲覧したところ、ダビング予約を解除をしたい、もしくはダビングしなくともよいといった録画済み番組がある。この実施形態では、このような場合、ダビングの予約を解除することができるようにするものである。
【０１４２】
先に説明したように、リモコン１３のメニューボタン１５を操作して、図１３に示すように、メニュー画面８５を表示させ、そのメニュー「ダビング」８６ｃについての操作をすると、図１４に示すようなダビング設定画面８９がモニタ画面に表示される。このダビング設定画面８９では、タグ「ダビング準備済」９０ａが選択された状態にあって、ダビング予約済みの録画済み番組のリストが表示されている（この場合のリストの表示の仕方としては、図２５に示すような方法であってもよい）。
【０１４３】
かかるダビング設定画面８９でダビング予約を解除したい録画済み番組（番組パックに含まれる場合には、その番組パック）をリモコン１３の選択・決定操作によって選択すると、図２７（ａ）に示すように、選択された録画済み番組を表わすダビング予約解除番組画面１４０がモニタ画面に表示される。ここでは、この選択された録画済み番組は番組パックを形成しているものとしており、この場合には、図１９に示した選択録画番組画面１１２のように、この番組パックの各録画済み番組がダビングの組毎に区分して表示されている。この場合には、ダビング予約解除番組画面１４０に枠状のカーソル１４１が設けられており、これにより、リモコン１３の選択・決定操作でもって表示される録画済み番組のいずれかを選択することができる。
【０１４４】
そこで、ダビング予約を解除したい録画済み番組にカーソル１４１を合わせ、図２のリモコン１３の機能メニューボタン１８を操作すると、図２７（ｂ）に示すように、このダビング予約解除番組画面１４０上に機能メニュー画面１４２が表示され、その機能メニュー「ダビングしない」１４２ａをリモコン１３の選択・決定操作で選択すると、図２７（ｃ）に示すように、図２７（ａ）の表示状態でカーソル１４１によって選択された録画済み番組のダビング予約が解除され、これにダビング予約解除マーク１４３が付される。
【０１４５】
さらに、ダビング解除したい録画番組がある場合には、図２７（ｃ）に示すダビング予約解除番組画面１４０において、リモコン１３の選択・決定操作でこのダビング予約を解除する録画番組を選択し、上記の操作を繰り返せばよい。
【０１４６】
このようにして、番組パックでは、その各録画済み番組毎にダビング予約を解除することができる。また、番組パックではなく、単独の録画済み番組の場合には、ダビング予約解除番組画面１４０上でその録画済み番組のみが表示され、カーソル１４１は表示されない。
【０１４７】
なお、図２７で説明したようにしてダビング予約が解除された録画済み番組について、ダビング予約を復活させることもできる。この場合には、図２７（ｃ）に示すようにダビング予約解除マーク１４３が付された録画済み番組をリモコン１３の選択・決定操作で選択し、図２のリモコン１３の機能メニューボタン１８を操作すると、図２８に示すように、機能メニュー画面１４２が表示され、そのメニュー「ダビングする」をリモコン１３の選択・決定操作で選択すると、この録画済み番組で元のダビング条件が再度付加されてダビング予約がなされた状態となり、ダビング予約解除マーク１４３が消去される。
【０１４８】
このために、ダビング設定画面８９でタグ「ダビング準備済」９０ａが選択されていて表示されるダビング予約済みの録画済み番組のリストでは、一度ダビング予約がなされたが、それが解除された録画済み番組も、ダビング予約解除マーク１４３が付されて表示されることになる。
【０１４９】
ここで、図２７（ｂ），図２８に示す機能メニュー画面１４２では、メニュー「ダビングしない」，「ダビングする」をともに備えたものであり、図２７（ｂ）と図２８とで、夫々必要な方を図示しているものである。しかし、かかる機能メニュー画面１４２は、図２７（ｂ）に示すように、カーソル１４１がダビング予約の解除をする録画済み番組に一致しているときには、メニュー「ダビングしない」の方を含み、図２８に示すように、カーソル１４１がダビングの再予約をする録画済み番組に一致しているときには、メニュー「ダビングする」の方を含むようにしてもよい。
【図面の簡単な説明】
【０１５０】
【図１】本発明によるハードディスク付ＤＶＤレコーダの一実施形態を示すブロック図である。
【図２】図１に示すハードディスク付ＤＶＤレコーダの制御操作手段としてのリモコンの一具体例を示す正面図である。
【図３】図１に示すハードディスク付ＤＶＤレコーダのモニタ画面で表示される受信中の放送番組の画面を示す図である。
【図４】図１に示すハードディスク付ＤＶＤレコーダのモニタ画面で表示される番組表画面の一具体例を示す図である。
【図５】図１に示すハードディスク付ＤＶＤレコーダのモニタ画面で表示される選択された放送予定番組の番組説明画面の一具体例を示す図である。
【図６】図１に示すハードディスク付ＤＶＤレコーダのモニタ画面で表示される録画予約設定画面の一具体例を示す図である。
【図７】図１に示すハードディスク付ＤＶＤレコーダのモニタ画面で表示される録画予約設定通知画面の一具体例を示す図である。
【図８】図１に示すハードディスク付ＤＶＤレコーダのモニタ画面で表示されるダビング条件メニュー画面の一具体例を示す図である。
【図９】図１に示すハードディスク付ＤＶＤレコーダのモニタ画面で表示されるダビング保存予約設定画面の一具体例を示す図である。
【図１０】図１に示すハードディスク付ＤＶＤレコーダのモニタ画面で表示されるＤＶＤメニュー設定画面及びテンプレート登録画面の一具体例を示す図である。
【図１１】図１に示すハードディスク付ＤＶＤレコーダで作成される録画済番組情報の一具体例を示す図である。
【図１２】図１に示すハードディスク付ＤＶＤレコーダのモニタ画面で表示されるセット通知画面の一具体例を示す図である。
【図１３】図１に示すハードディスク付ＤＶＤレコーダのモニタ画面で表示される機能メニュー画面の一具体例を示す図である。
【図１４】図１に示すハードディスク付ＤＶＤレコーダのモニタ画面で表示されるダビング設定画面の一具体例を示す図である。
【図１５】図１に示すハードディスク付ＤＶＤレコーダのモニタ画面で表示されるダビング内容確認画面の一具体例を示す図である。
【図１６】図１に示すハードディスク付ＤＶＤレコーダのモニタ画面で表示されるダビング経過画面の一具体例を示す図である。
【図１７】図１に示すハードディスク付ＤＶＤレコーダのモニタ画面で表示されるＣＭスキッププレビュー画面とこれを用いたＣＭスキップ領域の修正のための操作の一具体例を示す図である。
【図１８】図１に示すハードディスク付ＤＶＤレコーダのモニタ画面で表示される録画番組一覧画面の一具体例を示す図である。
【図１９】図１に示すハードディスク付ＤＶＤレコーダのモニタ画面で表示される選択録画番組画面の一具体例を示す図である。
【図２０】図１に示すハードディスク付ＤＶＤレコーダのモニタ画面で表示されるダビング終了通知画面の一具体例を示す図である。
【図２１】図１に示すハードディスク付ＤＶＤレコーダのモニタ画面で表示されるダビング可能番組リスト画面の一具体例を示す図である。
【図２２】図２１に示すダビング可能番組リスト画面上で表示される機能メニューの一具体例を示す図である。
【図２３】図１に示すハードディスク付ＤＶＤレコーダのモニタ画面で表示される選択ダビング可能番組画面の一具体例を示す図である。
【図２４】図１に示すハードディスク付ＤＶＤレコーダのモニタ画面で表示される問い合わせ画面の一具体例を示す図である。
【図２５】図１に示すハードディスク付ＤＶＤレコーダのモニタ画面で表示されるダビング可能通知画面の一具体例を示す図である。
【図２６】図１に示すハードディスク付ＤＶＤレコーダでの録画済み番組の移動のための動作の一具体例を示す図である。
【図２７】図１に示すハードディスク付ＤＶＤレコーダでの録画済み番組のダビング予約解除のための動作の一具体例を示す図である。
【図２８】図１に示すハードディスク付ＤＶＤレコーダでの録画済み番組のダビングの再予約のための動作の一具体例を示す図である。
【符号の説明】
【０１５１】
１  ハードディスク付ＤＶＤレコーダ
２  チューナ部
３  画像データ作成部（デコーダ）
４  制御部
５  制御信号受信部
６  情報記録部
７  ＨＤＤ（ハード・ディスク・ドライブ）
８  ダビング部
９  表示データ作成部
１０  信号処理部
１１  表示データ合成部
１２  信号出力部
１３  リモコン
１４  電源ボタン
１５  メニューボタン
１６  十字キー
１７  決定ボタン
１８  機能メニューボタン
１９  戻るボタン
２０  録画番組ボタン
２１  番組表ボタン
２２  チャプタ打込兼用のカラー（青）ボタン
２３  チャプタ削除兼用のカラー（赤）ボタン
２４  カラー（緑）ボタン
２５  スキップ設定兼用のカラー（黄）ボタン
２６  停止ボタン
２７  再生ボタン
２８  早送りボタン
２９  巻戻しボタン
３０  受信中の放送番組の画面
４０  番組表画面
４６  番組説明画面
５１  録画予約設定画面
５６  録画予約設定通知画面
５７  ダビング条件メニュー画面
６０  ダビング保存予約設定画面
６６  ＤＶＤメニュー設定画面
６９  録画済番組情報
８０  セット通知画面
８５  機能メニュー画面
８９  ダビング設定画面
９２  ダビング内容確認画面
９８  ダビング経過画面
１００  ＣＭスキッププレビュー画面
１０８  録画番組一覧画面
１１２  選択録画番組画面
１２０  ダビング可能番組リスト画面
１２２  選択ダビング可能番組画面
１２４  問い合わせ画面
１２７  ダビング可能通知画面
１３０  録画番組一覧画面
１４０  ダビング予約解除番組画面
【図１】
2005347825.tif 000003
【図２】
2005347825.tif 000004
【図３】
2005347825.tif 000005
【図４】
2005347825.tif 000006
【図５】
2005347825.tif 000007
【図６】
2005347825.tif 000008
【図７】
2005347825.tif 000009
【図８】
2005347825.tif 000010
【図９】
2005347825.tif 000011
【図１０】
2005347825.tif 000012
【図１１】
2005347825.tif 000013
【図１２】
2005347825.tif 000014
【図１３】
2005347825.tif 000015
【図１４】
2005347825.tif 000016
【図１５】
2005347825.tif 000017
【図１６】
2005347825.tif 000018
【図１７】
2005347825.tif 000019
【図１８】
2005347825.tif 000020
【図１９】
2005347825.tif 000021
【図２０】
2005347825.tif 000022
【図２１】
2005347825.tif 000023
【図２２】
2005347825.tif 000024
【図２３】
2005347825.tif 000025
【図２４】
2005347825.tif 000026
【図２５】
2005347825.tif 000027
【図２６】
2005347825.tif 000028
【図２７】
2005347825.tif 000029
【図２８】
2005347825.tif 000030